(57)【要約】【課題】手摺ブラケットへの金属製の手摺の取付性を向上し得る手摺取付構造を提供する。【解決手段】手摺取付構造は、金属製の筒状の手摺１１の外周面に全長に亘って長手方向に延びるように設けられた凹溝部１４に、該手摺が固定される手摺ブラケット２０の手摺固定部２７に設けられた凸部２８を嵌め入れた状態で、先端部５ａが前記凹溝部の溝底１６に非接触状態で前記凹溝部の両側壁１５，１５を捩じ切り可能な構成とされたねじ５を、前記手摺固定部を介して前記凹溝部の溝底を構成する止着部１８に捩じ込んで前記手摺を前記手摺ブラケットに取り付けた構造とされている。【選択図】図１
2015132070.tif 000002
【特許請求の範囲】
【請求項１】
金属製の筒状の手摺の外周面に全長に亘って長手方向に延びるように設けられた凹溝部に、該手摺が固定される手摺ブラケットの手摺固定部に設けられた凸部を嵌め入れた状態で、先端部が前記凹溝部の溝底に非接触状態で前記凹溝部の両側壁を捩じ切り可能な構成とされたねじを、前記手摺固定部を介して前記凹溝部の溝底を構成する止着部に捩じ込んで前記手摺を前記手摺ブラケットに取り付けた構造とされていることを特徴とする手摺取付構造。
【請求項２】
請求項１において、
前記手摺は、前記止着部を除いた周方向に沿う概ね全体部位の厚さが前記止着部よりも薄い構造とされていることを特徴とする手摺取付構造。
【請求項３】
請求項１または２において、
前記手摺の凹溝部の溝底には、前記ねじの先端部を受け入れる受溝部が全長に亘って設けられていることを特徴とする手摺取付構造。
【発明の詳細な説明】
【技術分野】
【０００１】
本発明は、手摺ブラケットへの手摺の取付構造に関する。
【背景技術】
【０００２】
従来より、階段や廊下等の壁面等の設置対象面に沿わせるように、手摺ブラケットを介して手摺を取り付けた構造が知られている。
例えば、下記特許文献１では、手摺ブラケットに設けられた位置決め突部を、単板積層材からなる手摺り棒に設けられた位置決め用凹部に嵌め込んだ状態で、ねじ等の固着具によって手摺り棒を手摺りブラケットに取り付けた構造が提案されている。
【先行技術文献】
【特許文献】
【０００３】
【特許文献１】特開２００７−８５１０９号公報
【発明の概要】
【発明が解決しようとする課題】
【０００４】
上記のような木質製の手摺であれば、どの部位においても比較的にねじを捩じ込み易く、手摺ブラケットに比較的に容易に手摺を取り付けることが可能であった。しかしながら、材料調達性等の観点や効率的に長尺状にする観点等から、木質製の手摺に代えて、金属製の手摺を採用したい場合がある。このような場合には、金属製の手摺には、ねじを捩じ込み難く、例えば、施工現場において手摺ブラケットに応じた位置となるように下孔等を設ける必要が生じることが考えられ、更なる改善が望まれる。
【０００５】
本発明は、上記実情に鑑みてなされたものであり、手摺ブラケットへの金属製の手摺の取付性を向上し得る手摺取付構造を提供することを目的としている。
【課題を解決するための手段】
【０００６】
上記目的を達成するために、本発明に係る手摺取付構造は、金属製の筒状の手摺の外周面に全長に亘って長手方向に延びるように設けられた凹溝部に、該手摺が固定される手摺ブラケットの手摺固定部に設けられた凸部を嵌め入れた状態で、先端部が前記凹溝部の溝底に非接触状態で前記凹溝部の両側壁を捩じ切り可能な構成とされたねじを、前記手摺固定部を介して前記凹溝部の溝底を構成する止着部に捩じ込んで前記手摺を前記手摺ブラケットに取り付けた構造とされていることを特徴とする。
【０００７】
本発明においては、前記手摺を、前記止着部を除いた周方向に沿う概ね全体部位の厚さが前記止着部よりも薄い構造としてもよい。
また、本発明においては、前記手摺の凹溝部の溝底に、前記ねじの先端部を受け入れる受溝部を全長に亘って設けてもよい。
【発明の効果】
【０００８】
本発明に係る手摺取付構造は、上述のような構成としたことで、手摺ブラケットへの金属製の手摺の取付性を向上させることができる。
【図面の簡単な説明】
【０００９】
【図１】（ａ）〜（ｃ）は、いずれも図２におけるＸ部に対応させた一部破断概略縦断面図であり、（ａ）、（ｂ）は、本発明の一実施形態に係る手摺取付構造の一例の取付手順の一例を模式的に示す図、（ｃ）は、同手摺取付構造を模式的に示す図である。
【図２】同手摺取付構造の一例を模式的に示す概略縦断面図である。
【図３】（ａ）は、同手摺取付構造に用いられる手摺ブラケットの一例を模式的に示す概略斜視図、（ｂ）は、同手摺取付構造の一例を模式的に示す一部破断概略斜視図である。
【発明を実施するための形態】
【００１０】
以下に本発明の実施の形態について、図面に基づいて説明する。
図１〜図３は、本実施形態に係る手摺取付構造の一例を模式的に示す図である。
なお、一部の図では、他図に付している詳細な符号の一部を省略している。
また、以下の実施形態では、設置対象面としての壁面に固定された手摺ブラケットに手摺を取り付けた状態を基準として上下方向等の方向を説明する。
【００１１】
本実施形態に係る手摺取付構造は、図１に示すように、金属製の筒状の手摺１０（手摺本体１１）の外周面に設けられた凹溝部１４に、手摺ブラケット２０の手摺固定部２７に設けられた凸部２８を嵌め入れた状態で手摺１０を手摺ブラケット２０に取り付けた構造とされている。また、手摺取付構造は、先端部５ａが凹溝部１４の溝底１６に非接触状態で凹溝部１４の両側壁１５，１５を捩じ切り可能な構成とされたねじ５を、手摺固定部２７を介して凹溝部１４の溝底１６を構成する止着部１８に捩じ込んで手摺１０を手摺ブラケット２０に取り付けた構造とされている。
【００１２】
本実施形態に係る手摺取付構造に用いられる手摺装置１は、図３（ｂ）に示すように、長尺状の手摺１０と、この手摺１０が固定される手摺ブラケット２０と、を備えている。なお、手摺ブラケット２０を設置対象面に固定するための止具としてのねじ３，４（図２参照）や、手摺ブラケット２０に手摺１０を固定するための止具としてのねじ５を含んで手摺装置１として把握するようにしてもよい。
手摺１０は、図３（ｂ）に示すように、手摺１０の長手方向に間隔を空けて配される複数の手摺ブラケット２０，２０（図例では、２つ）を介して設置対象面２に固定される。図例では、手摺１０を、長手方向を歩行方向に沿わせるように手摺ブラケット２０，２０を介して設置対象面としての壁面２に取り付けた構造としている。また、図例では、手摺１０を、階段の勾配に応じた傾斜方向とされた歩行方向に長手方向を沿わせるように手摺ブラケット２０，２０を介して壁面２に取り付けた例を示している。
また、図例では、手摺１０の長手方向両端部を覆うエンド部材６，６を設けた構成とした例を示している。また、図例では、これらエンド部材６，６を、壁面２に固定されるエンドブラケット６，６とした例を示している。
【００１３】
手摺ブラケット２０は、一端側に設置対象面としての壁面２に固定される壁（設置対象側）固定部２１を有し、他端側に手摺１０が固定される手摺固定部２７を有した構成とされている。また、手摺ブラケット２０に壁固定部２１と手摺固定部２７とを連結するような連結部２５を設け、この連結部２５を、反壁面側の斜め下方側に向けて開口する中空部が設けられた中空状としている。また、手摺ブラケット２０を、この連結部２５の開口を覆うカバー２６を設けた構成としている。このカバー２６は、連結部２５の開口に嵌め込まれるように取り付けられる構成とされている。
【００１４】
壁固定部２１は、図２に示すように、厚さ方向を壁面２に直交する方向（壁面２の法線方向、壁面直交方向）に沿わせたような板状とされ、壁面２側に向き壁面２に当接される当接面を有している。
この壁固定部２１には、手摺ブラケット２０を壁面２に固定するためのねじ３，４が挿通される挿通孔２２，２４が設けられている。図例では、複数の挿通孔２２，２４を設けた例を示している。これら挿通孔２２，２４は、壁面直交方向に貫通するように壁固定部２１に設けられている。また、これら挿通孔２２，２４は、手摺ブラケット２０の中空部の開口を介してねじ３，４の捩じ込みが可能なように壁固定部２１に設けられている。
【００１５】
手摺固定部２７は、図２に示すように、厚さ方向を概ね上下方向（手摺長手方向及び壁面２に直交する方向）に沿わせたような概ね板状とされ、手摺１０側に向き手摺１０に当接される当接面を有している。つまり、この手摺固定部２７と壁固定部２１とは略直交状に設けられている。
本実施形態では、この手摺固定部２７の手摺１０側部位を、略円筒形状とされた手摺１０の外周面に沿うような凹湾曲面形状としている。また、この手摺固定部２７は、図３（ａ）に示すように、平面視して（手摺長手方向及び壁面２に直交する方向に沿う方向に見て）、略矩形状とされている。また、図例では、手摺固定部２７の手摺１０側部位の四周端部を手摺１０の外周面に当接される当接面とし、その内側に凹状部を設けた例を示している。なお、このような凹状部を設けずに、手摺固定部２７の手摺１０側部位の概ね全体が手摺１０の外周面に当接される当接面としてもよい。
【００１６】
また、後記する手摺１０の凹溝部１４に嵌め込まれる凸部（位置決め凸部）２８は、この手摺固定部２７の手摺１０側部位から手摺１０の筒中心（軸心）方向（手摺軸心方向）に向けて突出するように設けられている。この凸部２８は、正面視して（手摺長手方向に沿う方向に見て）、手摺固定部２７の手摺１０側部位の略中央に設けられている。また、この凸部２８は、手摺１０の凹溝部１４に嵌め込まれることで、手摺ブラケット２０に対する手摺１０の周方向に沿う位置決めとして機能する。
また、この凸部２８は、正面視して、略矩形溝状とされた凹溝部１４に応じた形状とされ、その外面（両側面及び上面）が、凹溝部１４の内面（両側壁１５，１５及び溝底１６）に当接または近接対面される形状とされている。
【００１７】
また、本実施形態では、図３（ａ）に示すように、手摺１０の長手方向に沿って間隔を空けて複数の凸部２８，２８，２８を設けている。
図例では、手摺固定部２７の手摺長手方向に沿う方向の中央部と、この中央部から手摺長手方向に沿う方向に間隔（等間隔）を空けた両端部近傍部位と、にそれぞれ凸部２８，２８，２８を設けた例を示している。また、図例では、これら凸部２８，２８，２８を、突出方向に沿う方向に見て略矩形状とし、これらの突出方向先端部（上端部）の四周縁部を面取り形状（Ｒ面取り形状）とした例を示している。
【００１８】
また、この手摺固定部２７には、手摺１０を固定するねじ５が挿通される挿通孔２９が設けられている。この挿通孔２９は、手摺軸心方向に沿う方向に貫通するように手摺固定部２７に設けられている。また、挿通孔２９は、手摺ブラケット２０の中空部の開口を介してねじ５の捩じ込みが可能なように手摺固定部２７に設けられている。
また、挿通孔２９は、正面視して、手摺固定部２７の略中央に設けられている。つまり、挿通孔２９は、手摺１０の周方向に沿う方向で、凸部２８に略一致するように設けられ、手摺１０の長手方向に沿って、凸部２８と整列するように設けられている（図３（ａ）参照）。
また、挿通孔２９は、凸部２８に隣接するように設けられている。本実施形態では、手摺１０の長手方向に沿って間隔を空けて複数の挿通孔２９，２９（図例では、２つ）を設けている。また、これら挿通孔２９，２９のそれぞれを、凸部２８，２８間にこれらに隣接するように設けている。つまり、中央部の凸部２８の手摺１０の長手方向に沿う方向の両側に隣接させるように挿通孔２９，２９をそれぞれに設けた構成としている。
【００１９】
また、これら挿通孔２９，２９は、ねじ５の本体部（胴部）の形状に応じた丸孔状とされている。また、これら挿通孔２９，２９の径は、ねじ５の締結が可能なように、ねじ５の頭部の径よりも小径状とされている。これら挿通孔２９，２９の径は、ねじ５の本体部の径（呼び径）と同径状としてもよく、僅かに小さくまたは僅かに大きい径としてもよい。
また、図例では、手摺固定部２７の中空部側に向く面を、ねじ５が締結し易いように略平坦状で、かつ手摺１０側部位の周方向に沿う略中心で手摺１０の外周面に接するような接平面に略平行な面としている。また、手摺固定部２７の手摺１０側に開口する凹状部の底面を、手摺固定部２７の中空部側に向く面に略平行状としている。
【００２０】
なお、本実施形態では、複数の挿通孔２９，２９を設け、複数の凸部２８，２８，２８を手摺固定部２７に設けた例を示しているが、これら凸部２８及び挿通孔２９の両方または一方を、単一としてもよい。
また、手摺ブラケット２０は、手摺１０の取付強度等の観点から、金属製としてもよく、例えば、鋳造成形等されたものとしてもよい。
【００２１】
手摺１０は、長尺筒状とされた金属製の手摺本体１１を備え、本実施形態では、この手摺本体１１を略円筒形状としている。この手摺本体１１は、アルミニウムや、ステンレス、スチール等の金属製としてもよい。
この手摺本体１１は、長手方向両端が開口し、全長に亘って中空部が設けられた構成とされている。この手摺本体１１は、長手方向に押出成形されたものとしてもよい。これによれば、切断等によって長さ寸法を容易に調整することができる。
また、この手摺本体１１の直径（外径）は、握り易さ等の観点から、例えば、２０ｍｍ〜５０ｍｍ程度としてもよく、好ましくは、３０ｍｍ〜４０ｍｍ程度としてもよい。
【００２２】
また、本実施形態では、図２に示すように、手摺本体１１に、この長手方向端部を覆うように取り付けられるエンドブラケット６を取り付けるための取付部１３を設けている。この取付部１３は、手摺本体１１の内周面から手摺軸心方向に向けて突出するように、かつ手摺本体１１に全長に亘って設けられている。このような取付部１３を設けた構成とすれば、手摺本体１１を適宜の長さ寸法に切断等した場合にも柔軟に対応することができる。
また、本実施形態では、手摺本体１１の内周面に周方向に沿って間隔を空けて複数（２つ）の取付部１３，１３を設けた例を示している。図例では、これら取付部１３，１３を、後記する止着部１８が設けられた側とは異なる側部位（図示上側部位）に設けた例を示している。また、図例では、これら取付部１３，１３及び止着部１８を、周方向に概ね等間隔を空けて手摺本体１１の内周面に設けた例を示している。
【００２３】
また、図例では、取付部１３，１３を、長手方向に貫通し、ねじ等の止具が止着される止着環（孔）状部１３，１３とした例を示している。また、図例では、止着環状部１３，１３を、手摺軸心方向に向けて開口する開環状とした例を示している。これら止着環状部１３，１３に、手摺長手方向に止具が止着され、エンドブラケット６が手摺本体１１（手摺１０）の長手方向端部に取り付けられる構成とされている。
なお、手摺本体１１（手摺１０）の長手方向端部を覆うエンド部材６としては、壁面２に固定されるブラケット状とされたものに限られず、手摺本体１１（手摺１０）の長手方向端部に応じた形状とされたキャップ状とされたものとしてもよい。また、エンド部材６の手摺本体１１に向く側に、手摺本体１１の凹溝部１４に嵌め込まれる位置決め凸部を設けるようにしてもよい。また、手摺１０の配設態様等によっては、このようなエンド部材６を設けないようにしてもよい。
【００２４】
凹溝部１４は、手摺軸心方向に沿う方向で反軸心側に向けて開口し、手摺長手方向に延びるように全長に亘って設けられている。この凹溝部１４は、略矩形溝状とされ、手摺ブラケット２０側に向く溝底１６と、この溝底１６に対して直交状にかつ互いに対面するように平行状に設けられた両側壁１５，１５と、によって区画されている。図例では、この凹溝部１４の溝底側両入隅部及び溝開口側両縁部を面取り形状（Ｒ面取り形状）とした例を示している。
この凹溝部１４は、凹溝部１４の溝底１６にねじ５の先端部５ａが接触する前に、ねじ５によって両側壁１５，１５の開口側部位が捩じ切りされるようにねじ５に対応させて形成されている。
【００２５】
この凹溝部１４を、ねじ５の下穴状に機能するように、比較的に小さいトルクで止着部１８にねじ５の捩じ込みが可能なようにねじ５に対応させて形成するようにしてもよい。また、この凹溝部１４を、両側壁１５，１５の溝開口側部位がねじ５に捩じ切られて雌ねじとして機能し、ねじ５が比較的に小さいトルクで円滑に止着部１８に捩じ込み可能なようにねじ５に対応させて適宜、形成するようにしてもよい。
この凹溝部１４の溝幅寸法（両側壁１５，１５間寸法）及び溝深さ寸法は、上記のように凹溝部１４が下穴状に機能し、雌ねじとして機能するように、ねじ５の種類や先端部５ａの形状、呼び径（本体部の外径）等に応じて適宜の寸法としてもよい。図例では、凹溝部１４の溝幅寸法を溝深さ寸法よりも大きい寸法とした例を示している。
【００２６】
また、本実施形態では、手摺本体１１の凹溝部１４の溝底１６に、ねじ５の先端部５ａを受け入れる受溝部１７を全長に亘って設けた構造としている。
受溝部１７は、図１（ａ）に示すように、手摺軸心方向に沿う方向で反軸心側に向けて開口し、凹溝部１４の溝底１６の溝幅方向略中心に設けられている。この受溝部１７の溝幅寸法及び溝深さ寸法は、ねじ５の先端部５ａの一部の受け入れが可能なように、凹溝部１４の溝幅寸法及び溝深さ寸法に比して小さい寸法とされている。
なお、図例では、受溝部１７を略Ｖ字溝形状とした例を示しているが、例えば、略Ｕ字溝形状や、略矩形溝状等としてもよい。
【００２７】
止着部１８は、手摺本体１１の全長に亘って設けられており、止着されたねじ５によって手摺ブラケット２０に手摺１０の固定が可能なように形成されている。本実施形態では、この止着部１８を、この止着部１８の手摺周方向（溝幅方向）両側の手摺内周面よりも手摺軸心方向に向けて突出させるように設けた構成としている。また、止着部１８の手摺周方向中心と凹溝部１４の溝幅方向中心とを手摺周方向で略一致させた構成としている。
また、図例では、止着部１８を、手摺長手方向に見て、略矩形状とした例を示している。また、図例では、止着部１８の手摺軸心側に向く面（反溝底側面）を、ねじ５の捩じ込み方向に直交状の略平坦面とした例を示している。つまり、止着部１８の反溝底側面を、手摺固定部２７の中空部側に向く面と略平行な略平坦面とした例を示している。また、止着部１８の手摺周方向両側面を、止着部１８の反溝底側面に対して直交状でかつ互いに平行状とした例を示している。
【００２８】
この止着部１８の手摺軸心方向に沿う厚さ寸法（溝底１６から反溝底側面までの手摺軸心方向に沿う寸法）及び手摺周方向に沿う寸法は、ねじ５を安定的に止着可能なようにねじ５に対応させて適宜、設定するようにしてもよい。図例では、止着部１８の凹溝部１４の周方向両側部位に相当する部位の周方向に沿う寸法（凹溝部１４の一側壁１５から止着部１８の手摺周方向一側面までの周方向に沿う寸法）と止着部１８の手摺軸心方向に沿う厚さ寸法とを概ね同寸法とした例を示している。また、これら止着部１８の凹溝部１４の周方向両側部位に相当する部位の周方向に沿う寸法及び止着部１８の手摺軸心方向に沿う厚さ寸法を、凹溝部１４の溝幅寸法と概ね同寸法とした例を示している。
【００２９】
また、本実施形態では、図１及び図２に示すように、手摺本体１１（手摺１０）を、止着部１８を除いた周方向に沿う概ね全体部位（大半部位）１２の厚さが止着部１８よりも薄い構造としている。本実施形態では、止着部１８及び取付部１３，１３を除いた周方向に沿う全体部位（大半部位）１２の厚さを、止着部１８よりも薄い構造としている。また、この大半部位１２の厚さを、周方向の全体及び全長に亘って略均等な厚さとしている。
この大半部位１２の厚さは、手摺１０の軽量化を図る観点や強度の観点等から適宜、設定するようにしてもよく、例えば、１．５ｍｍ〜３．５ｍｍ程度としてもよく、好ましくは、２．０ｍｍ〜２．５ｍｍ程度としてもよい。
【００３０】
手摺本体１１（手摺１０）の止着部１８に捩じ込まれるねじ５は、その呼び径（本体部の外径）が凹溝部１４の溝幅寸法よりも大きい寸法とされ、かつ凹溝部１４の両側壁１５，１５を捩じ切り可能な構成とされている。また、このねじ５の呼び長さ（本体部の長さ）は、止着部１８に止着されて手摺ブラケット２０に手摺１０が固定された状態で、止着部１８を貫通する寸法とされている。
図１（ｂ）、（ｃ）に示すように、このねじ５を、手摺ブラケット２０の手摺固定部２７の挿通孔２９に挿通し、手摺本体１１（手摺１０）の止着部１８に捩じ込むことで、手摺ブラケット２０に対して手摺本体１１（手摺１０）が固定される。
【００３１】
このねじ５の呼び径や呼び長さは、凹溝部１４の溝幅や溝深さ、止着部１８の手摺軸心方向に沿う厚さ寸法や手摺周方向に沿う寸法、捩じ込み易さ等の観点から適宜の寸法としてもよい。例えば、ねじ５の呼び径を、凹溝部１４の溝幅寸法の１．２〜２．０倍程度としてもよい。また、ねじ５の呼び径を、止着部１８の手摺周方向に沿う寸法の３／４以下程度としてもよい。本実施形態では、ねじ５の呼び径を、凹溝部１４の溝幅寸法の１．４倍程度とし、また、ねじ５の呼び径を、止着部１８の手摺周方向に沿う寸法の１／２程度としている。例えば、一例として、凹溝部１４の溝深さを２．０ｍｍ、凹溝部１４の溝幅を２．８ｍｍとし、止着部１８の手摺周方向に沿う寸法を８．０ｍｍ、止着部１８の手摺軸心方向に沿う厚さを３．３ｍｍとし、ねじ５の呼び径を４．０ｍｍ、呼び長さを１６ｍｍ程度としてもよい。
【００３２】
また、このねじ５を、金属製の手摺本体１１への捩じ込み易さの観点等からドリリングねじやタッピングねじとしてもよく、図例では、先端部５ａをドリル部としたドリリングねじを例示している。また、図例では、ねじ５を、手摺固定部２７の中空部側に向く面に対面される頭部を有した丸ねじ状とした例を示しているが、皿ねじ状としてもよく、その他、種々の構成とされたねじ５の採用が可能である。
【００３３】
また、本実施形態では、図１及び図２に示すように、手摺１０を、手摺本体１１の外周面に化粧シート１９を貼着した構成としている。また、本実施形態では、手摺本体１１の周方向に単一の化粧シート１９を、その幅方向両端部を凹溝部１４内に納めるように貼着した構成としている。このような構成とすれば、化粧シート１９の手摺周方向に沿う継目を目立ち難くすることができ、また、化粧シート１９が捲れ難くなり、手摺１０の見栄えを向上させることができる。図例では、化粧シート１９の幅方向両端部を、凹溝部１４の両側壁１５，１５に貼着し、さらに、溝底１６において重ねるように貼着した例を示している。
なお、この化粧シート１９としては、例えば、５０μｍ〜１．０ｍｍ程度の厚さ寸法とされたものとしてもよい。また、化粧シート１９としては、例えば、合成樹脂製化粧シートや、天然銘木を薄くスライスした突板等としてもよい。また、このような化粧シート１９を貼着せずに、手摺本体１１の外周面に塗装等を施し、表面化粧処理が施された手摺１０としてもよい。
【００３４】
上記構成とされた手摺１０を、ねじ５を用いて手摺ブラケット２０に固定する際には、例えば、以下のようにしてもよい。
まず、手摺１０の凹溝部１４に、手摺ブラケット２０の手摺固定部２７の凸部２８を嵌め込み、手摺ブラケット２０に対する手摺１０の周方向への位置決めを行う。
次いで、ねじ５を、電動ドライバー等を用いて、手摺ブラケット２０の手摺固定部２７の挿通孔２９を介して手摺１０の止着部１８に捩じ込み、手摺１０を手摺ブラケット２０に固定するようにしてもよい。この際、捩じ込み初期には、ねじ５の先端部５ａが凹溝部１４の溝底１６（本実施形態では、受溝部１７内面）に非接触状態で凹溝部１４の両側壁１５，１５がねじ５によって捩じ切られる。
また、適宜、カバー２６を手摺ブラケット２０に取り付けるようにしてもよい。
【００３５】
本実施形態に係る手摺取付構造は、上述のような構成としたことで、手摺ブラケット２０への金属製の手摺１０（手摺本体１１）の取付性を向上させることができる。
つまり、上述のように、金属製の筒状の手摺１０の外周面に全長に亘って設けられた凹溝部１４に、手摺１０が固定される手摺ブラケット２０の手摺固定部２７に設けられた凸部２８を嵌め入れた状態で手摺１０を手摺ブラケット２０に取り付けた構造としている。従って、上述のように、手摺１０の周方向に沿う位置を手摺ブラケット２０に対して位置決めした状態で、手摺１０を取り付けることができ、手摺ブラケット２０への手摺１０の取付性を向上させることができる。
【００３６】
また、先端部５ａが凹溝部１４の溝底１６（本実施形態では、受溝部１７内面）に非接触状態で凹溝部１４の両側壁１５，１５を捩じ切り可能な構成とされたねじ５を、手摺固定部２７を介して凹溝部１４の溝底１６を構成する止着部１８に捩じ込んで手摺１０を手摺ブラケット２０に取り付けた構造としている。従って、ねじの先端部を凹溝部の溝底や凹溝部以外の外周面に当接させた状態で捩じ込んで取り付けるような構造と比べて、ねじ５を捩じ込み方向に比較的に円滑に捩じ込むことができる。つまり、上述のように、凹溝部１４の溝底１６にねじ５の先端部５ａが接触する前に、凹溝部１４の両側壁１５，１５を捩じ切ることができるので、捩じ込み初期には凹溝部１４の溝底１６との接触抵抗がなく、比較的に小さいトルクで捩じ込むことができる。また、凹溝部１４の両側壁１５，１５が雌ねじのように機能し、ねじ５が円滑に捩じ込まれることとなる。
【００３７】
特に、電動ドライバーを用いてねじを捩じ込む場合において、ねじの先端部を凹溝部の溝底や凹溝部以外の外周面に当接させた状態で捩じ込む構造とすれば、捩じ込み方向に押し付けられることと相俟って捩じ込み初期における先端側の接触抵抗によって回転数が低下したり、停止したりする場合がある。また、電動ドライバーのトルクを比較的に大きくすることも考えられるが、トルクを余りにも大きくし過ぎれば、ねじやねじが止着される部位が破断し易くなるようなことも考えられ、つまり、ねじによる締結作用が機能しなくなるようなことが生じることも考えられる。
一方、本実施形態によれば、凹溝部１４が言わば下穴状に機能し、ねじ５を適度のトルクで比較的に円滑に捩じ込むことができる。これにより、例えば、ねじ５を捩じ込み易くするために、施工現場において手摺ブラケット２０に応じた位置となるように下孔等を設ける必要がなく、手摺１０の取付性を向上させることができる。また、手摺ブラケット２０に対する周方向に沿う位置決めのための手摺１０の凹溝部１４を、下穴として機能させることができ、別途に凹溝部１４を設けたようなものと比べて、構造の簡略化を図ることができる。また、凹溝部１４を手摺１０の全長に亘って設けているので、手摺１０の長手方向に沿って間隔を空けて複数箇所に手摺ブラケット２０を設ける場合にも容易に取り付けることができる。
【００３８】
また、本実施形態では、手摺１０（手摺本体１１）を、止着部１８を除いた周方向に沿う概ね全体部位（大半部位）１２の厚さが止着部１８よりも薄い構造としている。従って、大半部位１２の厚さを、ねじ５を止着可能なように適宜の厚さとされた止着部１８の厚さと同厚さとした手摺１０に比べて、軽量化を図ることができ、手摺１０の取付性をより向上させることができる。なお、このような態様に代えて、大半部位１２の厚さを止着部１８と略同厚さとしてもよく、または、止着部１８よりも厚くしてもよい。
【００３９】
また、本実施形態では、手摺１０（手摺本体１１）の凹溝部１４の溝底１６に、ねじ５の先端部５ａを受け入れる受溝部１７を全長に亘って設けた構造としている。従って、このような受溝部１７を設けていない構造と比べて、凹溝部１４の両側壁１５，１５を捩じ切る際におけるねじ５の先端部５ａと凹溝部１４の溝底１６（受溝部１７内面）との非接触状態を効率的に確保することができ、つまり、凹溝部１４の受溝部１７を除いた部位の溝深さを効率的に小さくすることができる。また、受溝部１７によって、ねじ５がより捩じ込み易くなり、手摺１０の取付性をより向上させることができる。なお、このような受溝部１７を手摺１０の凹溝部１４の溝底１６に設けないようにしてもよい。
【００４０】
なお、本実施形態では、手摺１０を略円筒形状とした例を示しているが、このような態様に限らない。例えば、手摺１０を、略楕円筒形状とされたものや、略多角筒形状等とされたものとしてもよい。この場合は、手摺ブラケット２０の手摺固定部２７の形状を、適宜、変形するようにすればよい。
【符号の説明】
【００４１】
１１      手摺本体（手摺）
１２      大半部位（止着部を除いた周方向に沿う概ね全体部位）
１４      凹溝部
１５      側壁
１６      溝底
１７      受溝部
１８      止着部
２０      手摺ブラケット
２７      手摺固定部
２８      凸部
５        ねじ
５ａ      先端部
【図１】
2015132070.tif 000003
【図２】
2015132070.tif 000004
【図３】
2015132070.tif 000005